(57)【要約】【課題】  衣服の前部を汚した場合、被介護者を寝かした姿勢のまま、衣服の前半分、即ち前身頃のみを簡単に取り替えることのができ、且つ、衣服全体を取り替える場合でも容易に着せ替えすることのできる介護用衣服を提供する。【解決手段】  略対称的な形状を有する前身頃１と後身頃２とが別体で形成され、これら前身頃１と後身頃２の上端肩部７が連結手段を介して着脱自在に連結されており、前身頃１と後身頃２の胴部８の左右側縁部が締付け具合調整可能な連結手段４を介して着脱自在に連結されている構造とした。【選択図】  図１
2007154325.tif 000002
【特許請求の範囲】
【請求項１】
略対称的な形状を有する前身頃と後身頃とが別体で形成され、これら前身頃と後身頃の上端肩部が連結手段を介して着脱自在に連結されており、前身頃と後身頃の胴部の左右側縁部が締付け具合調整可能な連結手段を介して着脱自在に連結されている介護用衣服。
【請求項２】
前記前身頃と後身頃が、正面視略長方形であって袖を持たない形態で形成されている請求項１に記載の介護用衣服。
【発明の詳細な説明】
【技術分野】
【０００１】
本発明は、寝たきりの被介護者のために使用するための、アンダーシャツ等の介護用衣服に関するものである。
【背景技術】
【０００２】
従来、寝たきりの身障者や老人、病人等の被介護者に対して、着せ替えが容易な衣服として、例えば特許文献１や特許文献２に示すものがある。
【特許文献１】特開平０８−１４４１０８号公報
【特許文献２】特開平０８−２２６００４号公報
【特許文献３】特開２００１−２００４１０号公報
【発明の開示】
【発明が解決しようとする課題】
【０００３】
一般に寝たきりの被介護者、殊に認知症の寝たきり老人では飲食物の落ち零し等により衣服の前部のみを汚すことが多い。このような場合、その都度、被介護者の上半身を起こしたり、横向きにして汚れた衣服全体を取り替えねばならず、介護者にとっては大変な重労働となる。
【０００４】
着せ替え容易な介護用衣服として開示された特許文献１の発明は、衣服の後身頃に対して前身頃の半分の全て（図４の実施例）又はその一部（図１並びに図３の実施例）、若しくは前身頃の前部（図５の実施例）が開閉手段を介して分離できるように形成されているが、前身頃と後身頃の少なくとも一部が一体に連結されているものであるから、衣服の前部を汚す度に、衣服の全てを着せ替えせねばならず、介護者にとって大変面倒であると共に不経済でもある。
【０００５】
また、特許文献２並びに特許文献３で開示された介護用衣服も、衣服全体が左右に分離できるように形成されているものであるから、飲食物を零して衣服前部を汚したときに、先の特許文献１の衣服と同様に、衣服の全てを着せ替えせねばならないといった課題があった。
【０００６】
そこで本発明は、上記従来課題を解消し、衣服の前部を汚した場合、被介護者を寝かした姿勢のまま、衣服の前半分、即ち前身頃のみを簡単に取り替えることのができ、且つ、衣服全体を取り替える場合でも容易に着せ替えすることのできる新規な介護用衣服を提供することを主たる目的とするものである。
【課題を解決するための手段】
【０００７】
上記の課題を解決するために本発明では次のような技術的手段を講じた。即ち、本発明にかかる介護用衣服は、略対称的な形状を有する前身頃と後身頃とが別体で形成され、これら前身頃と後身頃の上端肩部が連結手段を介して着脱自在に連結されており、前身頃と後身頃の胴部の左右側縁部が締付け具合調整可能な連結手段を介して着脱自在に連結されている構成としたものである。
【０００８】
上記発明において、前記前身頃と後身頃が、正面視略長方形であって袖を持たない形態で形成するのが好ましい。
【発明の効果】
【０００９】
本発明によれば、後身頃に対して前身頃が着脱自在であるから、衣服の前部を汚した場合に、被介護者を上向きの楽な姿勢で寝かしたままで前身頃のみを簡単に取り替えることができるとともに、衣服全体を着せ替えする場合も、容易に行うことができて介護者の労働を軽減することができる。また、前身頃と後身頃とが分離可能であるから、数種の素材で作られた前身頃と後身頃とを夫々複数枚セットで用意しておいて、例えば、床ずれの生じにくい通気性のある素材のものを後身頃とし、起毛のある暖かい素材で作ったものを前身頃１として組み合わせるなど、被介護者の状態に応じて選択的に組み合わして使用することができる等の効果がある。加えて、前記前身頃と後身頃の胴部の左右側縁部が締付け具合調整可能な連結手段を介して着脱自在に連結する構造となっているから、被介護者の身体具合の状況や身体サイズに合わせて締付け具合を調整することができ、一つのサイズの衣服ではば広く使用することが出来るといった効果がある。
【００１０】
また請求項２の構成によれば、前身頃と後身頃が、正面視略長方形であって袖を持たない形態で形成されているので、この介護用衣服の上に上着を重ね着していても、上着を脱がすことなく、連結手段ををはずして前身頃並びに後身頃を下方に又は上方に引っ張ることにより簡単に介護用衣服を脱がすことができ、逆に着せる場合でも、前身頃並びに後身頃を上着のしたから滑り込ませることにより上着をつけたままで着せることができるとともに、シンプルな構造であるから低コストで提供できるといった効果がある。
【発明を実施するための最良の形態】
【００１１】
以下、本発明の詳細を図面に示した実施例に基づいて説明する。図１並びに図２は本発明の介護用衣服の第１実施例を示すものであって、袖を有しない略長方形のシンプルタイプの下着として実施されている。
この介護用衣服は、柔軟な布材による略長方形の前後対称的な前身頃１と後身頃２とがぞれぞれ別体で形成されている。これら前身頃１と後身頃２の上端肩部７は面ファスナー（ファブリックファスナー）による連結手段３を介して着脱自在に連結されており、前身頃１と後身頃２の胴部８の左右側縁部は適当な長さの紐による締付け具合調整可能な連結手段４を介して着脱自在に連結されている。
【００１２】
上記実施例で示した介護用衣服は、寝姿勢にある被介護者の背中部分に後身頃２を敷き、前身頃１を被介護者の前部に当てがって前身頃１と後身頃２の上端肩部を面ファスナーによる連結手段３により連結し、前身頃１と後身頃２の胴部の左右側縁部を紐による連結手段４により締結することにより簡単に被介護者に着せることができる。また、連結手段３，４を離すことにより簡単に衣服を脱がすことができる。また、衣服の前部、即ち前身頃１を飲食物等により汚した場合には、被介護者を上向きの楽な姿勢で寝かしたままで、前身頃２のみを別に用意した同じ構造の前身頃と簡単に取り替えることができる。更に、前身頃１と後身頃２とが分離可能であるから、数種の異なる素材で作られた前身頃１と後身頃２とを夫々複数枚セットで用意しておいて、例えば、床ずれの生じにくい通気性のある素材のものを後身頃２とし、起毛のある暖かい素材で作ったものを前身頃１として組み合わせるなど、被介護者の状態に応じて選択的に組み合わして使用することが可能である。
【００１３】
また、前身頃１と後身頃２が、正面視略長方形であって袖を持たない形態で形成されているので、この介護用衣服の上に上着を重ね着していても、上着を脱がすことなく、連結手段３，４をはずして前身頃１並びに後身頃２を下方に又は上方に引っ張ることにより簡単に介護用衣服を脱がすことができ、逆に着せる場合でも、前身頃１並びに後身頃２を上着のしたから滑り込ませることにより上着をつけたままで着せることができる。
【００１４】
上記実施例では、前身頃１と後身頃２の胴部の左右側縁部を連結する締付け具合調整可能な連結手段４を紐の締結によって形成したが、これに代えて図３に示すように、対をなす面ファスナー４ａ、４ａの一方のファスナー部材を備えた帯状部材４ｂを後身頃２（又は前身頃１）に取り付け、面ファスナー４ａの他方のファスナー部材を前身頃１（または後身頃２）に取り付けて構成するようにしてもよい。この場合、面ファスナー４ａ、４ｂにかえてボタンにすることも勿論可能である。
【００１５】
また、上記した前身頃１と後身頃２の肩部の連結手段３も面ファスナーに代えてボタンやホック等により実施することが可能である。
【００１６】
以上本発明について説明したが、本発明は上記実施例に限定されるものでなく、その構成要件を備え、かつ本発明の目的を達成し、本発明の効果を奏する範囲内において適宜改変して実施できるものである。
【産業上の利用可能性】
【００１７】
本発明の介護用衣服は寝たきりの被介護者用の上部下着として利用することができる。
【図面の簡単な説明】
【００１８】
【図１】本発明にかかる介護用衣服の一実施例を示す斜視図。
【図２】上記荷介護用衣服の正面図。
【図３】本発明にかかる介護用衣服の他の実施例を示す斜視図。
【符号の説明】
【００１９】
１  前身頃
２  後身頃
３  肩部の連結手段
４  胴部の連結手段
７  肩部
８  胴部
【図１】
2007154325.tif 000003
【図２】
2007154325.tif 000004
【図３】
2007154325.tif 000005